(57)【要約】【課題】  複数の操作部を有する排水栓装置に関し、操作装置の組み立てを容易にすると共に、一方の操作部が故障しても、他方の操作部によって弁体の昇降操作が可能となる排水栓装置の提供を目的とする。【解決手段】  操作装置５は手動操作部５１及び電動操作部５２を備え、当該手動操作部５１は動作伝達部３５を介して電動操作部５２の動作に従動する構造となっている。手動操作部５１は直接押動操作を行うボタン部２０と、ボタン部２０と連続する操作軸２１を有している。又、動作伝達部３５は側面に開放部３５１を有しており、操作軸２１の側方から取り付け可能である。操作装置５は操作軸２１に対して回動操作を加えることにより、上記手動操作部５１と電動操作部５２との従動を解除する解除機構を備えている。【選択図】図１
2018145653.tif 000002
【特許請求の範囲】
【請求項１】
槽体に形成された排水口と、
排水口の開閉を行う弁体と、
弁体の操作を行う操作装置から成る排水栓装置において、
上記操作装置は動作伝達部と複数の操作部を備え、
少なくとも１つの操作部はその進退によって弁体の昇降を生じさせる操作軸を有する操作部であって、
動作伝達部は他の操作部の動作時に操作軸を従動させるとともに、
動作伝達部は操作軸と他の操作部に着脱可能であることを特徴とする排水栓装置。
【請求項２】
前記操作装置は解除機構を備え、
当該解除機構は操作軸に対して回動操作を加えることによって上記他の操作部の動作に対する操作軸の従動を解除することを特徴とする請求項１に記載の排水栓装置。
【請求項３】
槽体に形成された排水口と、
排水口の開閉を行う弁体と、
弁体の操作を行う操作装置から成る排水栓装置において、
上記操作装置は動作伝達部と複数の操作部を備え、
少なくとも１つの操作部はその進退によって弁体の昇降を生じさせる操作軸を有する操作部であって、
動作伝達部は他の操作部の動作時に操作軸を従動させるとともに、
動作伝達部は開放部を有し、開放部から操作軸に取り付け可能であって、
操作装置は解除機構を備え、
当該解除機構は操作軸に対して回動操作を加えることによって上記他の操作部の動作に対する操作軸の従動が解除されることを特徴とする排水栓装置。
【請求項４】
前記操作軸はケーシング内に配置され、
操作軸はケーシングと動作伝達部によって挟まれることを特徴とする請求項１乃至請求項３のいずれか１つに記載の排水栓装置。
【請求項５】
前記動作伝達部は操作軸と係止する係止部を有し、
操作軸に対して回動操作を加えた際、操作軸が係止部を乗り越えることで上記他の操作部の動作に対する操作軸の従動が解除されることを特徴とする請求項２乃至請求項４のいずれか１つに記載の排水栓装置。
【請求項６】
前記他の操作部は電気信号に基づいて排水口の開閉を行う電動操作部であって、
電気信号に基づいて作動する駆動部と、
駆動部の回転運動を直線運動に変換するギア部を有し、
動作伝達部はギア部によって操作軸の軸方向に進退するとともに、操作軸に駆動部の動作を伝達することを特徴とする請求項１乃至請求項５のいずれか１つに記載の排水栓装置。
【発明の詳細な説明】
【技術分野】
【０００１】
本発明は、浴槽や洗面ボウル、シンク等の槽体に形成された排水口の開閉を行う排水栓装置に関するものである。
【背景技術】
【０００２】
従来から、槽体に形成された排水口の開閉を行うための排水栓装置として、特許文献１に記載の構成が知られている。
【０００３】
特許文献１には、操作装置に対する操作によって弁体を操作し、槽体底部に形成された排水口の開閉を行う排水栓装置が記載されている。
【０００４】
上記排水栓装置の操作装置は２つの操作部から成り、一方は使用者が直接押動による手動操作に基づいて弁体を昇降させる手動操作部であって、他方は電気信号に基づいて弁体を昇降させる電動操作部である。
手動操作部は上記押動操作に伴い進退する操作軸と、操作軸の進退を弁体へと伝達するレリースワイヤと、弁体の上昇状態を保持するロック機構が連結されており、操作軸の進退によって弁体の昇降を生じさせるとともに、押動操作の都度弁体の上昇状態と下降状態を切り替えることが可能となる。
一方、電動操作は駆動部としてのモータを備え、当該モータの回動を直線運動へと変換するとともに、当該直線運動を、動作伝達部を介して手動操作部へと伝達する。
【先行技術文献】
【特許文献】
【０００５】
【特許文献１】特開２００３−２４７２５４号公報
【発明の概要】
【発明が解決しようとする課題】
【０００６】
ここで、上記特許文献１は動作伝達部が駆動部に連結されている。従って、操作装置の組み立ての際には駆動部の取り付けと動作伝達部の配置を同時に行う必要があり、大変煩雑であった。
又、上記特許文献１に記載の排水栓装置において、手動操作部は電動操作部の動作に従動する様構成されており、電動操作部による操作が行われた場合、動作伝達部によって手動操作部の操作軸が押し下げられることによって弁体の昇降を生じさせる。
即ち、手動操作部（操作軸）は手動作動部単体の動作だけで排水口を開閉するのに対し、電動操作部は、手動作動部に干渉することによって、排水口を開閉する。従って、電動操作部が作動中に故障し、その動作が停止してしまった場合、動作伝達部が手動操作部に干渉した状態のままとなってしまい、手動操作も行うことが不可能となるという問題を有していた。
尚、上記問題が生じた場合には、槽体のエプロン部を取り外し、ユニット化された電動操作部を取り外す必要があるが、当該作業は一般の使用者には困難であった。
【０００７】
本発明は上記問題に鑑み発明されたものであって、複数の操作部を有する排水栓装置に関し、操作装置の組み立てを容易にすると共に、一方の操作部が故障しても、他方の操作部によって弁体の昇降操作が可能となる排水栓装置の提供を目的とする。
【課題を解決するための手段】
【０００８】
請求項１に記載の本発明は、槽体に形成された排水口と、
排水口の開閉を行う弁体と、
弁体の操作を行う操作装置から成る排水栓装置において、
上記操作装置は動作伝達部と複数の操作部を備え、
少なくとも１つの操作部はその進退によって弁体の昇降を生じさせる操作軸を有する操作部であって、
動作伝達部は他の操作部の動作時に操作軸を従動させるとともに、
動作伝達部は操作軸と他の操作部に着脱可能であることを特徴とする排水栓装置である。
【０００９】
請求項２に記載の本発明は、前記操作装置は解除機構を備え、
当該解除機構は操作軸に対して回動操作を加えることによって上記他の操作部の動作に対する操作軸の従動を解除することを特徴とする請求項１に記載の排水栓装置である。
【００１０】
請求項３に記載の本発明は、槽体に形成された排水口と、
排水口の開閉を行う弁体と、
弁体の操作を行う操作装置から成る排水栓装置において、
上記操作装置は動作伝達部と複数の操作部を備え、
少なくとも１つの操作部はその進退によって弁体の昇降を生じさせる操作軸を有する操作部であって、
動作伝達部は他の操作部の動作時に操作軸を従動させるとともに、
動作伝達部は開放部を有し、開放部から操作軸に取り付け可能であって、
操作装置は解除機構を備え、
当該解除機構は操作軸に対して回動操作を加えることによって上記他の操作部の動作に対する操作軸の従動が解除されることを特徴とする排水栓装置である。
【００１１】
請求項４に記載の本発明は、前記操作軸はケーシング内に配置され、
操作軸はケーシングと動作伝達部によって挟まれることを特徴とする請求項１乃至請求項３のいずれか１つに記載の排水栓装置である。
【００１２】
請求項５に記載の本発明は、前記動作伝達部は操作軸と係止する係止部を有し、
操作軸に対して回動操作を加えた際、操作軸が係止部を乗り越えることで上記他の操作部の動作に対する操作軸の従動が解除されることを特徴とする請求項２乃至請求項４のいずれか１つに記載の排水栓装置である。
【００１３】
請求項６に記載の本発明は、前記他の操作部は電気信号に基づいて排水口の開閉を行う電動操作部であって、
電気信号に基づいて作動する駆動部と、
駆動部の回転運動を直線運動に変換するギア部を有し、
動作伝達部はギア部によって操作軸の軸方向に進退するとともに、操作軸に駆動部の動作を伝達することを特徴とする請求項１乃至請求項５のいずれか１つに記載の排水栓装置である。
【発明の効果】
【００１４】
請求項１に記載の本発明によれば、動作伝達部は操作軸と他の操作部に対して着脱可能であることから、施工が容易となる。
請求項２に記載の本発明によれば、操作装置は操作軸に対して回動操作を加えることにより他の操作部の動作に対する操作軸の従動を解除する解除機構を備えており、他の操作部が故障した場合でも操作軸を有する操作部によって排水口の開閉操作が可能となる。
請求項３に記載の本発明によれば、動作伝達部を開放部から操作軸に取り付けることが可能となるため、施工が容易になる。又、操作装置は操作軸に対して回動操作を加えることにより他の操作部の動作に対する操作軸の従動を解除する解除機構を備えており、他の操作部が故障した場合でも操作軸を有する操作部によって排水口の開閉操作が可能となる。尚、動作伝達部は開放部を有することから撓み易く構成されており、上記回動操作による解除操作の作動時において、操作軸の回動が容易となる。
請求項４に記載の本発明によれば、操作軸はケーシングと動作伝達部によって挟まれる構造となっている。従って、動作伝達部が操作軸に対して側方より取り付けられる構造であっても、動作伝達部が操作軸より外れることや、操作軸のガタつき等を防ぐことが可能となる。
請求項５に記載の本発明によれば、動作伝達部が操作軸と係止する係止部を有することにより、過度に解除機構を回動させてしまったり、回動方向を間違えたり、といった操作ミスによる部材の破損を未然に防ぐことが可能となる。
請求項６に記載の本発明によれば、他の操作部の構成を明確とすることができる。
【図面の簡単な説明】
【００１５】
【図１】本発明の排水栓装置の施工状態を示す断面図である。
【図２】図１のＡ−Ａ’断面図である。
【図３】図１のＢ−Ｂ’断面図である。
【図４】本発明の操作軸、把持部、動作伝達部を示す分解斜視図である。
【図５】操作軸の平面図である。
【図６】（ａ）図３のＡ矢視図（ｂ）図３のＢ矢視図である。
【図７】動作伝達部を示す（ａ）正面図（ｂ）背面図である。
【図８】動作伝達部を示す平面図である。
【図９】図１のＢ−Ｂ’断面における分解図である。
【図１０】手動操作部を作動させた状態を示す断面図である。
【図１１】電動作動部を作動させた状態を示す断面図である。
【図１２】（ａ）手動操作部が従動している状態における操作装置の要部を示す断面図である。（ｂ）手動操作部の従動が解除された状態における操作装置の要部を示す断面図である。
【図１３】解除機構を作動させた状態を示す断面図である。
【図１４】解除機構が作動し、手動操作部の従動が解除された状態を示す断面図である。
【発明を実施するための形態】
【００１６】
以下に、本発明の排水栓装置を、図面を参照しつつ説明する。尚、以下に記載する説明は実施形態の理解を容易にするものであって、これによって本発明が制限して理解されるものではない。又、以下の実施形態においては、特に断りの無い限り図１に示す施工状態を基準として上下左右を説明する。
【００１７】
本実施形態の排水栓装置は図１乃至図１４に示すように、槽体１の排水口を開閉する弁体４と、弁体４の昇降を操作する操作装置５、及び当該弁体４の昇降状態を保持するロック機構４５を有している。
【００１８】
槽体１は上方が開放された箱状の浴槽であり、底部には円形の孔部が開口され、当該底部の孔部には円筒状の排水栓２が取り付けられている。又、槽体１の縁部には弁体４を遠隔的に操作するための操作装置５が取り付けられている。
排水栓２は槽体１の底面の孔部に配置された略円筒状の部材であって、軸方向に開口された貫通孔によって排水流路が形成されている。排水栓２の外周には雄螺子が螺刻されており、上端において外側に向けて鍔部が形成されている。又、排水栓２は内周において、ワイヤ受け３が嵌合されているとともに、当該ワイヤ受け３にはレリースワイヤ５０の端部が保持されている。尚、上記貫通孔は排水栓２が槽体１の底面に取り付けられた際、槽体１内の湯水を排出するための排水口として機能する。
【００１９】
ロック機構４５は内部にギアを備えており、操作装置５に加えられた操作によって弁体４が上昇した際、上記ギアの噛合により当該弁体４の上昇状態を保持するものであり、更にもう一度操作装置５に操作が加えられると、上記ギアの噛合が解除されてスプリングにより弁体４が下降し排水口を閉塞するよう構成されている。尚、ロック機構４５は上方に向けて延設されたロッド部４６を有し、当該ロッド部４６が押し下げられることによって作動する。
【００２０】
レリースワイヤ５０は中空の筒状である樹脂製のアウターチューブと、金属の撚り線であるインナーワイヤから成り、操作装置５に操作が加えられるとインナーワイヤがアウターチューブ内部を摺動することで操作装置５の操作を弁体４へと伝達する。即ち、インナーワイヤが弁体４側へ向けて摺動した際には弁体４を上昇させ、逆に、インナーワイヤが操作装置５側へ向けて摺動した際には弁体４を下降させる。尚、レリースワイヤ５０は弁体４側端部において弁軸４０を備えている。弁軸４０は外筒と内筒からなる二重の筒状であり、外筒はワイヤ受け３に固定されており、内筒はインナーワイヤの手動に基づいて上方へと突出可能となっている。
【００２１】
弁体４は外周にパッキンが嵌着された止水部材であり、その裏面において弁軸４０先端が嵌合されており、レリースワイヤ５０によって操作装置５の操作が伝達されることにより昇降し、排水口の開閉を行う。
【００２２】
操作装置５は手動操作に基づいて排水口の開閉を行う手動操作部５１と、電気信号に基づいて排水口の開閉を行う電動操作部５２を有しており、ケーシング６、ボタン部２０、操作軸２１、把持部３０、動作伝達部３５、モータ４１から構成されている。尚、手動操作部５１はケーシング６、ボタン部２０、操作軸２１から主に構成され、電動操作部５２はケーシング６、図示しない電動ボタン部、基盤、動作伝達部３５、及びモータ４１から主に構成されている。又、手動操作部５１（操作軸２１）は電動操作部５２の動作に従動するよう構成されており、操作装置５は操作軸２１を回動させることにより当該従動を解除する解除機構を備えている。
【００２３】
ケーシング６は内部に操作装置５の部材を収納する箱体であって、ケーシング上部６ａ、ケーシング中部６ｂ、ケーシング下部６ｃより構成され、それぞれがＣ字リングによって接続されている。尚、ケーシング上部６ａ、ケーシング中部６ｂ、及びケーシング下部６ｃをまとめて指す場合は「ケーシング６」と記載する。
【００２４】
ケーシング上部６ａは槽体１の縁部に形成された貫通口に取り付けられており、上端に形成されたフランジ部分とナットによって当該貫通口を挟持している。又、ケーシング上部６ａは中空の筒状であり、内部にはボタン部２０及び操作軸２１、把持部３０が配置されている。
【００２５】
ケーシング中部６ｂは中央に形成された機構室７と、機構室７の外周に形成された迂回路８による二層構造として内部が壁部９により区画されており、その正面は蓋体１３によって閉塞されている。尚、図１乃至図３等に示すように、それぞれの空間はパッキンによって完全に止水されており、迂回路８内の排水が機構室７に流入することはない。又、ケーシング６の背面側にはモータ４１を収納する空間が形成されている。
機構室７は内部に従動部２３、動作伝達部３５、ピニオンギア４２等が配置された空間であり、機構室７を囲む壁部９の下方にはロッド部４６が挿通される貫通口が形成されており、壁部９の上方には操作軸２１が挿通される貫通口がそれぞれ形成されている。尚、各貫通口はロッド部４６及び操作軸２１の外径と略同一であるとともに、各貫通口周辺にはパッキンが配置されており、当該パッキンがロッド部４６及び操作軸２１と水密に当接しているため、上流側からも下流側からも内部に排水が流入することはない。又、図１及び図２に示すように、機構室７内面には、上端から下端にかけて凹部７１が形成されている。凹部７１は動作伝達部３５が外嵌されているとともに、凹部７１と動作伝達部３５との間に従動部２３（操作軸２１）が配置されている。又、凹部７１には図２における左方に収納部１０が形成されており、手動操作部５１（操作軸２１）が電動操作部５２に対して従動状態にある時、収納部１０には従動部２３の突条部２６が収納されている。尚、収納部１０に収納された状態の従動部２３は手動操作部５１（操作軸２１）の電動操作部５２に対する従動を解除する方向にのみ回動可能となっている。
迂回路８は機構室７の外側に形成された排水流路であり、ケーシング６の上方から流入した排水を通過させ、下流側へと排出する。
モータ４１は図示しない電動ボタン部に対する操作を受けて回動する回転軸を備えており、当該回転軸先端に取り付けられたピニオンギア４２が機構室７内に突出している。尚、図示しないパッキンによって機構室７とモータ４１が収納されている空間は完全に止水されている。
【００２６】
ケーシング下部６ｃは内部にロック機構４５が固定されている。尚、この時ロッド部４６はケーシング上部６ａ上端よりも上方に向けて延設されている。又、ケーシング中部６ｂとケーシング下部６ｃが接続された状態において、上記ロッド部４６は機構室７内に挿通されるとともに、操作軸２１と連結している。又、ケーシング下部６ｃは下端においてゴム製のアウターチューブ１５が取り付けられており、レリースワイヤ５０のガイドを行うとともに、ケーシング６内に流入した排水を排水口から続く排水流路へと排出することができる。
【００２７】
ボタン部２０は直接押動されることにより上下動する平面視略円形の操作ボタンであって、その上面は浴室内に露出している。又、ボタン部２０は裏面に接続された操作軸２１が連続している。
【００２８】
図２乃至図６に示すように、操作軸２１は上下方向に延設された円筒状であって、図５に示すようにその上方は平面視おいて略十字形状のリブ２２が外側に向けて突設されており、下端には従動部２３が形成されている。又、操作軸２１は上端において上記ボタン部２０と接続されており、下端においてロック機構４５を介してレリースワイヤ５０と連続している。前述の通り、レリースワイヤ５０はインナーワイヤの摺動によって弁体４を昇降させるものである。従って、操作軸２０はボタン部２０に加えられた押動操作によって進退し、その進退によって弁体４の昇降を生じさせる。又、上記リブ２２外周には後述する把持部３０が着脱自在に取り付けられている。
従動部２３は操作軸２１の下端に形成された拡径部分であって、後述する動作伝達部３５と当接するように構成された段部２４と、軸方向に延設された溝部２５と、従動部２３よりも更に外側に突設された突条部２６を有している。段部２４は従動部２３の上面部分であって、図５及び図６に示すように、二箇所の溝部２５によってその一部が切り欠かれている。尚、当該溝部２５は上下方向に延設されているが、従動部２３の下端までは形成されていない。突条部２６は従動部２３の外径よりも外側に向けて突設されているとともに、上下方向に延設されている。突条部２６は後述する動作伝達部３５の係止部３９に対応するよう構成されており、係止部３９と当接する位置まで延設されている。又、図２に示すように、突条部２６は手動操作部５１（操作軸２１）が電動操作部５２に従動している状態において、ケーシング中部６ｂ内面に形成された収納部１０内に配置されており、操作軸２１は係止部３９と反対方向（図２における右回り方向）には回転することはできない。
又、従動部２３は内に図示しない磁石を内部に備えており、当該磁石はセンサによって位置情報が検知可能となっている。
【００２９】
把持部３０は内部に上記操作軸２１を挿通可能に形成された平面視略十字形状の挿通口３１を有し、外周から外側に向けて四箇所のガイド部３２が平面視略十字形状となるように突設されており、操作軸２１に対して着脱自在となっている。
尚、各ガイド部３２の外側への突設幅はケーシング上部６ａの下端内周面の半径とほぼ同一であり、手動操作部５１が上下方向に変位する際、当該手動操作部５１の揺動を防ぐガイドとして機能する。又、ガイド部３２は手動操作部５１と電動操作部５２に対する従動を解除する際に把持されることにより、操作軸２１を回動させる把持部分として機能する。
【００３０】
動作伝達部３５は図７及び図８に示すように、背面側に開放部３５１を備えた平面視半円形状を成し、一方の側面には軸方向にラックギア３６が形成され、駆動部であるモータ４１の回転軸に取り付けられたピニオンギア４２と噛合している。又、動作伝達部３５はケーシング中部６ｂと蓋体１３によって挟持されており、モータ４１が駆動した際にはピニオンギア４２の回動に基づいて上下方向にのみ変位可能となっている。
開放部３５１は操作軸２１側の側面が開放されることによって形成され、その端部が上記ケーシング中部６ｂに形成された凹部７１の側面と当接していることにより、動作伝達部３５は上下方向への摺動がガイドされている。尚、施工完了時において、操作軸２１は動作伝達部３５と凹部７１によって挟み込まれているとともに、動作伝達部３５は凹部７１と蓋体１３によって挟み込まれており、操作軸２１及び動作伝達部３５は上下方向のみ可能となっている。
又、動作伝達部３５はラックギア３６が形成されている側と対向する他方の内周面下端において、上記突条部２６に対応するよう内側に向けて突設された係止部３９が形成されている。又、動作伝達部３５は図６（ｂ）に示すように、上端より内側に向けて当接部３７が形成されている。当該当接部３７は電動操作部５２が駆動した際に段部２４と当接部３７が当接するよう構成されており、電動操作部５２の動作時に従動部２３を介して操作軸２１（手動操作部５１）を従動させる。ここで、当接部３７にはスリット３８が形成されており、解除機構が作動されることによって上記従動状態が解除された際、段部２４はスリット３８の直下に配置され、当接部３７は段部２４と非当接状態となる。
【００３１】
モータ４１はケーシング６の背面に形成された空間内に配置され、図示しない電動ボタン部、基盤及び電源と連結されており、電動ボタンが操作された際、基盤からの電気信号に基づいてピニオンギア４２を所定方向に回動させる。尚、モータ４１は基盤からの電気信号に基づいて双方向に回転可能である。
【００３２】
以下に、本発明の排水栓装置の施工について説明する。
【００３３】
本実施形態の排水栓装置においては、操作装置５を、工場において以下の状態まで組み立てる。
まず、ケーシング下部６ｃにロック機構４５を取り付ける。次に、ケーシング中部６ｂに対して下方からケーシング下部６ｃを取り付ける。この時、ロッド部４６は迂回路８と機構室７を区画する壁部９の下方に形成された貫通口に挿通され、端部が機構室７内に配置される。
次に、操作軸２１をケーシング中部６ｂ内に配置する。この時、操作軸２１は把持部３０が取り付けられていない状態で、機構室７の内側より壁部９上方に形成された貫通口に挿通され、その端部がケーシング中部６ｂの上端よりも上方に位置する。
ここで、壁部９の上方及び下方に形成された貫通口にはそれぞれパッキンが配置されており、各パッキンがロッド部４６及び操作軸２１と当接することによって水密状態となる。従って、蓋体１３によってケーシング６ｂが密閉された際、迂回路８内を流れる排水が機構室７へと流入することはない。
次に、操作軸２１に把持部３０を挿通し、取り付ける。尚、上記壁部９上方に形成された貫通口は操作軸２１の外径とほぼ同径であり、把持部３０よりも小径となっているが、本発明においては把持部３０を操作軸２１とは別部材としているため、操作軸２１を配置した後に把持部３０を取り付けることが可能となる。又、操作軸２１には略十字形状のリブ２２が形成されており、把持部３０にも略同一形状の挿通口３１が形成されている。従って、操作軸２１に取り付けられた把持部３０を回動させると、操作軸２１も共に回動する。
次に、操作軸２１の側方より動作伝達部３５を従動部２３に覆い被せるようにして取り付ける。この時、動作伝達部３５は開放部３５１を有していることから、操作軸２１を内部に挿通する等の作業を行うことなく、操作軸２１の側方の、一方方向から差し込むだけで、容易に動作伝達部３５を取り付けることが可能となる。又、操作軸２１は凹部７１と動作伝達部３５によって挟み込まれており、上下方向にのみに変位可能となる。尚、動作伝達部３５の当接部３７は段部２４の上方に配置されているため、動作伝達部３５が下降した際には操作軸２１は当接部３７によって押し下げられるが、操作軸２１が下降した際に動作伝達部３５は変位しない。そして、図示しないビスを用いてケーシング中部６ｂに対して蓋体１３を取り付ける。この時、動作伝達部３５はケーシング中部６ｂと蓋体１３によって挟持されるため、上下方向にのみ変位可能となる。尚、動作伝達部３５は電動操作部５２の動作を手動操作部５１へと伝達する部材であることから、この時、従動部２３は手動操作部５１及び電動操作部５２に対して取り付けられている。又、当該動作伝達部３５は蓋体１３を取り外すことによって、手動操作部５１及び電動操作部５２から取り外すことができる。
以上で、工場における操作装置５の組み立ては完了となる。
次に、現場において、槽体１の縁部に形成された開口に、ケーシング上部６ａを取り付ける。そして、当該ケーシング上部６ａの下方よりケーシング中部６ｂを取り付け、Ｃ字バンドによってケーシング上部６ａとケーシング下部６ｃを接続する。尚、Ｃ字バンドを用いた接続については、図９のように、予めケーシング中部６ｂにＣ字バンドを取り付けておき、ケーシング上部６ａ下方から挿入することによっても接続可能である。
次に、操作軸２１にボタン部２０を嵌合させた後、排水栓２下流側の配管にアウターチューブを取り付けるとともに、ワイヤ受け３に弁軸４０を固定し、弁体４を弁軸４０に嵌合させることで、本実施形態の排水栓装置の施工が完了する。
【００３４】
次に、本実施形態の排水栓装置の動作について説明する。
【００３５】
まず、手動操作部５１による操作について詳述する。
図１に示すように、弁体４が下降状態にあって、排水口を閉塞している際に、手動操作部５１に対する操作、即ちボタン部２０に対して直接押動操作が加えられると、ボタン部２０が下方に向けて変位するとともに、操作軸２１が下降する。この時、アウターチューブ内をインナーワイヤが弁体４側へと摺動し、弁体４を下方から突き上げて弁体４が上昇する。又、操作軸２１の下降に伴いロッド部４６が押し下げられてロック機構４５が作動し、弁体４の上昇状態が保持される。
この時、図１０に示すように、動作伝達部３５はボタン部２０に押動操作が加えられる前の高さ位置に留まっており、ボタン部２０及び従動部２３のみが下降する。
【００３６】
上記弁体４の上昇状態において更にボタン部２０に対して直接押動操作が加えられると、ロック機構４５内のギアの噛合が解除されるため、インナーワイヤが操作装置５側に摺動することによって弁体４が下降する。又、弁体４の下降に伴いボタン部２０と操作軸２１が上昇し、元の場所に復帰する。
【００３７】
上記の通り、手動操作部５１による操作が行われている際、動作伝達部３５を含む電動操作部５２を構成する全ての部材は一切作動しない。
【００３８】
次に、電動操作部５２による操作について詳述する。
弁体４が下降状態にあって、排水口を閉塞している際に、図示しない電動ボタン部に操作が加えられると、電気信号に基づいてモータ４１が作動し、ピニオンギア４２が回動することでラックギア３６が下方へ変位し、動作伝達部３５が下降する。
この時、図１１に示すように、当接部３７が段部２４と当接し、従動部２３（操作軸２１）を押し下げることで電動操作部５２の動作を手動操作部５１へと伝達する。そして、手動操作部５１が下降することにより弁体４が上昇するとともに、ロック機構４５によって弁体４の上昇状態が保持される。
その後、図示しないセンサによって所定位置まで操作軸２１が下降したことが検知されると、モータ４１は逆回転を行い、動作伝達部３５が元の場所に復帰する。この時、操作装置５の各部材の位置関係は図１０に示すように、手動操作部５１によって弁体４を上昇させた時と全く同一となる。
【００３９】
上記弁体４の上昇状態において更に電動ボタンに対して操作が加えられると、モータ４１が再び駆動し、動作伝達部３５が操作軸２１を押し下げることでロック機構４５内のギアの噛合が解除されて弁体４が下降する。この時、操作装置５の各部材の位置関係は図１のように、手動操作部５１の操作によって弁体４を下降させた時と全く同一となる。
【００４０】
即ち、本実施例の電動操作部５２は、電気信号に基づいて作動する駆動部としてのモータ４１を備え、該モータ４１の回転運動を、ピニオンギア４２とラックギア３６からなるギア部により動作伝達部３５の直線運動に変換し、この動作伝達部３５の直線運動を、操作軸２１の軸方向に伝達することによって排水口を開閉する。
【００４１】
以上のように、本発明において、手動操作部５１は操作軸２１が電動操作部５２の動作に従動する構造となっている。そして、電動操作部５２に対して操作が加わった際には、モータ４１の駆動の都度動作伝達部３５が図１、図１０に示す元の位置へと復帰する構造であるため、どのような操作を行った場合であっても、弁体４の上昇時や下降時における各部材の位置関係は必ず所定の配置となる。従って、電動操作部５２の操作後に手動操作部５１の操作を行うことや、手動操作部５１の操作後に電動操作部５２の操作を行うことが可能となる。
【００４２】
一方、砂やゴミ等の噛み込みやセンサの破損により、動作伝達部３５が図１１のように下降した状態でモータ４１が停止してしまった場合、又はセンサの故障により操作軸２１の所定位置までの降下が検知できず、モータ４１が動作伝達部材３５を降下させたまま動作を継続しつつけた場合、従動部２３と動作伝達部３５が干渉してしまい手動操作部５１による操作を行うことができない。当該場合においては、以下のように解除機構を作動させることで手動操作部５１の操作軸２１の電動操作部５２に対する従動を解除することができる。
まず、図１１の状態において、操作装置５よりボタン部２０を取り外す。尚、取り外しの際には吸盤をボタン部２０に吸着させ、引き上げる方法の他、ボタン部２０とケーシング６との隙間に棒等を差し込むことでも取り外すことが可能である。
次に、操作軸２１に取り付けられている把持部３０を把持し、操作軸２１を回動させる。この時、図１２（ａ）の状態より、図１２（ｂ）に示すように、動作伝達部３５が外側に撓むとともに突条部２６が係止部３９を乗り越え、手動操作部５１と電動操作部５２の従動状態が解除される。即ち、操作軸２１の回動によって、段部２４がスリット３８の直下に配置されると共に当接部３７の直下には溝部２５が配置されることで、従動部２３と動作伝達部３５が互いに干渉しない位置に配置される。これにより、図１３及び図１４に示すように、操作軸２１が元の位置に復帰することが可能となり、以降は手動操作部５１によってのみ弁体４の昇降操作が可能となる。尚、操作軸２１を回動させることにより、操作軸２１内部に配置された磁石がセンサの検知範囲外に位置し、電動操作部５２は作動不可能となる。
又、図１２（ａ）に示すように、手動操作部５１が電動操作部５２に対して従動状態にある時、突条部２６は収納部１０内に配置されており、従動を解除する方向にのみ回動させることができる。従って、作業者が誤った方向に操作軸２１を回動させることは不可能である。一方、手動操作部５１と電動操作部５２の従動を解除した状態において、突条部２６は動作伝達部３５の当接部３７と干渉するため、図１２（ｂ）に示す従動解除状態から更に同一方向に回動させることはできない。従って、手動操作部５１と電動操作部５２の従動を確実に解除することができる。ここで、手動操作部５１と電動操作部５２の従動が解除された状態において、操作軸２１を逆方向に回転（右回転）させることで、再び手動操作部５１を電動操作部５２に従動させることが可能である。この時、動作伝達部３５が外側に撓むとともに突条部２６が係止部３９を乗り越え、収納部１０内に配置され、手動操作部５１が再び従動状態となる。即ち、解除機構は手動操作部５１が電動操作部５２に従動している状態において、当該従動を解除する方向にのみ回動可能であり、従動が解除されている状態においては再び従動状態となる方向にのみ回動可能となるよう、回動範囲の規制機構を備えている。即ち、解除状態に応じて回動方向を規制するとともに、回転時には回動可能な角度を規制する。従って、誤方向への回動や過度の回動に伴う解除の失敗や部材の破損を防止することが可能となる。
また、従動状態／従動状態の解除は、突条部２６と係止部３９の干渉により、上記の様に使用者が意図的に操作軸を回転させない限り切り替わることは無い。
【００４３】
上記本発明における排水栓装置は、従動の解除操作が容易であり、従来の排水栓装置のように、電動操作部５２が故障した際に槽体１のエプロン部を外して修理を行う、といった作業を省略することができる。従って、一般の使用者であっても従動の解除操作を行うことが可能となる。
又、動作伝達部３５は側面に開放部３５１を有していることから、手動操作部５１（操作軸２１）及び電動操作部５２（ピニオンギア４２）に対して側方から着脱が可能であり、施工が容易となる。
【００４４】
又、上記本発明は作動軸２１に回動操作を加えることによって手動操作部５１と電動操作部５２との従動を解除可能であるが、動作伝達部３５が開放部３５１を有していることから、上記回動操作によって突条部２６が係止部３９を乗り越える際に動作伝達部３５が撓み、解除操作が容易となる。尚、動作伝達部３５が開放部３５１を有することから、操作軸２１と動作伝達部３５との間に汚れ等が混入してしまった場合でも、操作軸２１に対する回動操作時に電動操作部３５が撓むことで支承無く回動操作を行うことができる。
【００４５】
又、操作軸２１はケーシング６と動作伝達部３５によって挟まれる構造となっている。従って、動作伝達部３５が操作軸２１に対して側方より取り付けられる構造であっても、動作伝達部３５が操作軸２１より外れることや、操作軸２１のガタつき等を防ぐことが可能となる。
【００４６】
尚、手動操作部５１の電動操作部５２に対する従動解除は電動操作部５２の故障に対する一時的な対処であり、最終的には故障した電動操作部５２を取り換える必要がある。その際にも把持部３０が着脱自在であると当該取り換える作業が容易となる。又、手動操作部５１内部に詰まりが生じた際等には、ボタン部２０及び把持部３０を取り外すことで内部の清掃が可能となる。
【００４７】
又、上記排水栓装置は、ボタン部２０とケーシング上部６ａの間は僅かな空間が形成されており、当該空間から排水が流入することがあるが、流入した排水はケーシング上部６ａを通過した後に、迂回路８内を通過し、ロック機構４５の外側を通り、下流側へと排出される。即ち、機構室７は壁部９に配置されたパッキンにより、内部に排水が流入してしまうことがない。従って、排水の流入により排水栓装置が故障することを防ぐことができる。
【００４８】
本発明における排水栓装置は以上であるが、本発明は上記実施形態の形状に限られるものではなく、発明の要旨を逸脱しない範囲において種々の変更を行うことが可能である。例えば、上記実施形態において、操作機構は手動操作部と電動操作部を有していたが、２つ以上の手動操作部のみを有していても良く、２つ以上の電動操作部のみを有していても良い。又、手動操作部や電動操作部を合計３つ以上有していても良い。
又、上記実施形態において、解除機構は手動操作部内に配置されていたが、解除機構を手動操作部とは別の場所に設けても良い。
又、電動操作部を駆動させるための電動ボタン部について、脱衣場やリビングの壁面等に設けても良く、配置箇所は適宜変更可能である。同様に、手動操作部は槽体の縁部に配置されていたが、槽体の側壁に配置するなど、配置箇所は適宜変更可能である。
【符号の説明】
【００４９】
１      槽体
２      排水栓
３      ワイヤ受け
４      弁体
５      操作装置
５１    手動操作部
５２    電動操作部
６      ケーシング
６ａ    ケーシング上部
６ｂ    ケーシング中部
６ｃ    ケーシング下部
７      機構室
７１    凹部
８      迂回路
９      壁部
１０    収納部
１３    蓋体
１５    アウターチューブ
２０    ボタン部
２１    操作軸
２２    リブ
２３    従動部
２４    段部
２５    溝部
２６    突条部
３０    把持部
３１    挿通口
３２    ガイド部
３５    動作伝達部
３５１  開放部
３６    ラックギア
３７    当接部
３８    スリット
３９    係止部
４０    弁軸
４１    モータ
４２    ピニオンギア
４５    ロック機構
４６    ロッド部
５０    レリースワイヤ
【図１】
2018145653.tif 000003
【図２】
2018145653.tif 000004
【図３】
2018145653.tif 000005
【図４】
2018145653.tif 000006
【図５】
2018145653.tif 000007
【図６】
2018145653.tif 000008
【図７】
2018145653.tif 000009
【図８】
2018145653.tif 000010
【図９】
2018145653.tif 000011
【図１０】
2018145653.tif 000012
【図１１】
2018145653.tif 000013
【図１２】
2018145653.tif 000014
【図１３】
2018145653.tif 000015
【図１４】
2018145653.tif 000016